(57)【要約】【課題】工場内に設置された設備の位置情報と属性情報の管理を容易に行うことができるシステムを提供する。【解決手段】ディスプレイ２には、選択メニュー６１により指定された種類の設備が示された工場のレイアウト図６０（電気設備、圧空設備、製造設備）、レイアウト図６５（電気設備、製造設備）が表示されている。ディスプレイ２にレイアウト図６５が表示された状態で、使用者がレイアウト図６５に示された製造設備３ｂをマウスポインタ６６により選択すると、設備の種類毎にレイヤ化されたレイアウト図のデータから図形３ｂが属するレイヤのレイヤ名と図形３ｂの識別コードとが取得され、該レイヤ名と識別コードを連結マップに適用して得られる属性テーブル名と管理コードとにより特定される図形３ｂにより表された設備の属性データ６７がディスプレイ２に表示される。【選択図】　図４
2004013197.tif 000002
【特許請求の範囲】
【請求項１】
工場内に設置された設備の情報を管理するコンピュータシステムであって、ディスプレイと、ポインティングデバイスと、
各設備の設置位置に該設備を表す図形を配置した前記工場のレイアウト図データを設備の種類毎にレイヤ化して記憶すると共に、各レイヤに属する設備に固有に割当てられた識別コードと該レイヤのレイヤ名とを関連付けて記憶したレイアウト図情報データベースと、
設備の種類毎に設けられた属性テーブルに、各設備の属性データと各設備に固有に割当てられた管理コードとを関連付けて記憶した属性情報データベースと、
各設備が属するレイヤのレイヤ名と各設備の識別コードとにより特定される該設備の前記レイアウト図データの該レイヤにおける位置と、各設備の属性データが記憶された属性テーブルのテーブル名と各設備の管理コードとにより特定される該設備の属性データとを関連付ける連結マップのデータを記憶した連結データベースと、
前記レイアウト図データにより、前記工場における設備の設置状況を示した設備レイアウト図を前記ディスプレイに表示する設備位置表示手段と、
該設備位置表示手段により前記設備レイアウト図が前記ディスプレイに表示された状態で、前記ポインティングデバイスによりいずれかの設備が選択されたときに、前記レイアウト図情報データベースから該設備の属するレイヤのレイヤ名と該設備の識別コードとを取得し、該レイヤ名と該識別コードとを前記連結マップに適用して該設備の属性データが記憶された属性テーブルのテーブル名と該設備の管理コードとを取得して、該テーブル名と該管理コードとに基づいて前記属性データベースから検索した該設備の属性データを前記ディスプレイに表示する設備属性検索表示手段とを備えたことを特徴とする工場における設備情報管理システム。
【請求項２】
工場内に設置する設備の情報を管理するコンピュータシステムであって、ディスプレイと、ポインティングデバイスと、
各設備の設置位置に該設備を表す図形を配置した前記工場のレイアウト図データを設備の種類毎にレイヤ化して記憶すると共に、各レイヤに属する設備に固有に割当てられた識別コードと該レイヤのレイヤ名とを関連付けて記憶したレイアウト図情報データベースと、
設備の種類毎に設けられた属性テーブルに、各設備の属性データと各設備に固有に割当てられた管理コードとを関連付けて記憶した属性情報データベースと、
各設備が属するレイヤのレイヤ名と各設備の識別コードとにより特定される該設備の前記レイアウト図データの該レイヤにおける位置と、各設備の属性データが記憶された属性テーブルのテーブル名と各設備の管理コードとにより特定される該設備の属性データとを関連付ける連結マップのデータを記憶した連結データベースと、
前記属性テーブルに記憶された設備の属性データを管理コードと共に前記ディスプレイに表示する設備属性表示手段と、
該設備属性表示手段により設備の属性データが前記ディスプレイに表示された状態で、前記ポインティングデバイスによりいずれかの設備が選択されたときに、前記属性データベースから該設備の属性データが記憶された属性テーブルのテーブル名と該設備の管理コードとを取得し、該テーブル名と該管理コードとを前記連結マップに適用して該設備が属するレイヤのレイヤ名と該設備の識別コードとを取得して、該レイヤ名が付されたレイヤの前記レイアウト図データにより、前記工場における該設備の設置位置を明示したレイアウト図を前記ディスプレイに表示する設備位置検索表示手段とを備えたことを特徴とする工場における設備情報管理システム。
【請求項３】
前記属性テーブルに記憶された設備の属性データを管理コードと共に前記ディスプレイに表示する設備属性表示手段と、
該設備属性表示手段により設備の属性データが前記ディスプレイに表示された状態で、前記ポインティングデバイスによりいずれかの設備が選択されたときに、前記属性データベースから該設備の属性データが記憶された属性テーブルのテーブル名と該設備の管理コードとを取得し、該テーブル名と該管理コードとを前記連結マップに適用して該設備が属するレイヤのレイヤ名と該設備の識別コードとを取得して、該レイヤ名が付されたレイヤの前記レイアウト図データにより、前記工場における該設備の設置位置を明示したレイアウト図を前記ディスプレイに表示する設備位置検索表示手段とを備えたことを特徴とする請求項１記載の工場における設備情報管理システム。
【請求項４】
前記ディスプレイに表示する設備の種類を選択する表示種類選択手段を備え、
前記設備位置表示手段は、該表示種類選択手段により選択された種類に対応したレイヤの前記レイアウト図データにより、該選択された種類の設備の設置状況のみが示された前記設備レイアウト図を前記ディスプレイに表示することを特徴とする請求項１又は請求項３記載の工場における設備情報管理システム。
【請求項５】
前記ディスプレイに表示する設備の種類を選択する表示種類選択手段を備え、
前記設備属性表示手段は、該表示種類選択手段により選択された種類に対応した属性テーブルに属する設備の属性データのみを、前記ディスプレイに表示することを特徴とする請求項２又は請求項３記載の工場における設備情報管理システム。
【請求項６】
前記設備位置表示手段により前記ディスプレイに表示された前記設備レイアウト図において、前記ポインティングデバイスによる選択が可能な設備の種類を限定する選択種類限定手段を備えたことを特徴とする請求項１，３，４のうちいずれか１項記載の工場における設備情報管理システム。
【請求項７】
前記設備属性検索表示手段は、選択された設備が属するレイヤのレイヤ名と該設備の識別コードとを前記連結マップに適用したときに、該設備の属性データが記憶された属性テーブル名と該設備の管理コードとを取得することができなかったときには、該設備の属性データと管理コードの入力画面を表示し、
該入力画面により該設備の管理コードと属性データとが入力されたときに、該設備の種類に対応した属性テーブルに該属性データと該管理コードとを関連付けて追加するとともに、該設備の属するレイヤのレイヤ名と該設備の識別コードとにより特定される該設備の前記レイアウト図データにおける位置と、該設備の属性データが記憶された属性テーブルのテーブル名と該設備の管理コードとにより特定される該設備の属性データとを関連付けるデータを前記連結マップに追加する属性データ追加手段を備えたことを特徴とする請求項１，３，４，６のうちいずれか１項記載の工場における設備情報管理システム。
【請求項８】
前記設備位置検索表示手段は、選択された設備の属性データが記憶された属性テーブルのテーブル名と該設備の管理コードとを前記連結マップに適用したときに、該設備が属するレイヤのレイヤ名と該設備の識別コードとを取得することができなかったときには、前記ディスプレイに前記工場における該設備の設置位置の登録画面を表示し、
前記登録画面により該設備の設置位置が登録されたときに、該設備の種類に対応したレイヤの前記レイアウト図データにおける該設置位置の対応位置に該設備を表す図形を追加すると共に、該設備の属性データが登録された属性テーブルのテーブル名と該設備の管理コードとにより特定される該設備の属性データと、該設備が属するレイヤのレイヤ名と該設備の識別コードとにより特定される該設備の前記レイアウト図データにおける設置位置とを関連付けるデータを前記連結マップに追加する位置データ追加手段を備えたことを特徴とする請求項２，３，５のうちいずれか１項記載の工場における設備情報管理システム。
【請求項９】
前記設備には、電気設備、圧空設備、ガス設備、上水道設備、下水道設備のうちの少なくともいずれか１つに該当するインフラ設備が含まれることを特徴とする請求項１から請求項８のうちいずれか１項記載の工場における設備情報管理システム。
【請求項１０】
前記レイアウト図データには、前記インフラ設備により供給又は回収される対象の流通経路の配置位置を、該対象の流れ方向を規定して記憶した流通経路のレイヤが含まれ、
前記設備レイアウト図が前記ディスプレイに表示された状態で、前記ポインティングデバイスにより該設備レイアウト図上の任意の箇所が選択されたときに、前記インフラ経路のレイヤのデータに基づいて、前記流通経路が該選択箇所に最も近接する位置である経路近接点を検索し、該経路近接点の下流側にある前記流通経路の往き端位置を検索する往き端位置検索手段と、
該往き端位置検索手段により検索された往き端位置に設置された設備を前記レイアウト図データにより検索し、検索された該設備を、前記経路点で故障が生じたときに影響を受ける設備として明示した前記設備レイアウト図を前記ディスプレイに表示するインフラ故障シミュレーション手段とを備えたことを特徴とする請求項９記載の工場における設備情報管理システム。
【請求項１１】
前記インフラ設備は配電盤であって、前記レイアウト図データには、該電気設備の配電盤から電力が供給される配電経路の位置を、電力の供給方向を規定して記憶した配電経路のレイヤが含まれ、前記属性データには設備の消費電力が含まれ、該配電盤の前記属性データには該配電盤の規定電力容量が含まれ、
前記ディスプレイに配電盤の設置位置が示された設備レイアウト図が表示された状態で、前記ポインティングデバイスにより該配電盤が選択されたときに、前記配電経路のレイヤのデータに基づいて該配電盤から電力が供給される配電経路の往き端位置を検索する往き端位置検索手段と、
該往き端位置検索手段により検索された前記配電経路の往き端位置に設置された設備を前記レイアウト図データにより検索し、検索された各設備の消費電力を前記連結マップに基づいて検索した各設備の属性データから取得して、各設備の合計消費電力を算出し、
前記配電盤の規定電力容量を、前記連結マップに基づいて検索した該配電盤の属性データから取得し、該規定電力容量から前記合計消費電力を減じた電力を、該配電盤から供給可能な残電力として前記ディスプレイに表示する配電盤残電力表示手段とを備えたことを特徴とする請求項９記載の工場における設備情報管理システム。
【請求項１２】
前記配電盤残電力表示手段は、前記配電盤から供給可能な残電力を表示する際に、前記配電盤と接続された設備を前記設備レイアウト図上に明示することを特徴とする請求項１１記載の工場における設備情報管理システム。
【請求項１３】
前記属性データには、設備の点検履歴データが含まれることを特徴とする請求項１から請求項１２のうちいずれか１項記載の工場における設備情報管理システム。
【請求項１４】
前記点検履歴データに基づいて設備の点検時期の監視を行い、点検時期に至った設備を発見したときに、点検を促す表示と共に前記レイアウト図データにより該設備の位置を明示した設備レイアウト図を前記ディスプレイに表示する点検時期報知手段を備えたことを特徴とする請求項１３記載の工場における設備情報管理システム。
【請求項１５】
設備の点検作業者が所持する表示部付きの携帯端末機との間で無線通信を行なう無線通信手段と、
前記点検履歴データに基づいて設備の点検時期の監視を行い、点検時期に至った設備を発見したときに、前記携帯端末機に対して、該設備の点検を促す表示と前記レイアウト図データに基づいて生成した該設備の位置を明示した地図とを前記携帯端末機の表示部に表示させるためのデータを送信する点検時期報知手段とを備えたことを特徴とする請求項１３記載の工場における設備情報管理システム。
【発明の詳細な説明】
【０００１】
【発明の属する技術分野】
本発明は、工場内に設置された設備の位置情報と属性情報とを管理するコンピュータシステムに関する。
【０００２】
【従来の技術】
例えば、ある工場内に設置された生産設備の情報をコンピュータにより管理する管理システムにおいて、従来は、各設備の設置場所名や仕様（設備の種類、大きさ、重量、能力等）等の属性データが入力されたデータテーブルをコンピュータの記憶装置に記憶させ、使用者により設備の検索条件が入力されたときに、該検索条件に適合する設備の属性データを該データテーブルから検索してディスプレイに表示するようにしていた。
【０００３】
そして、かかる管理システムに登録された設備が設置された場所を調べるためには、検索された設備の属性データから該設備の設置場所を確認し、その設置場所が含まれる工場のレイアウト図を開いて該設備の設置位置を捜すという作業をしなければならず、手間と時間を要していた。
【０００４】
また、設備が設置された場所がわかっていて、その設備の属性情報を得たい場合には、先ずその設備が設置された工場のレイアウト図からその設備の設置場所を調べ、該設置場所を管理システムに入力して該設備の属性データを検索するという作業をしなければならず、この場合にも手間と時間を要していた。
【０００５】
【発明が解決しようとする課題】
本発明は、上記背景を鑑みてなされたものであり、工場内に設置された設備の位置情報と属性情報の管理を容易に行うことができるシステムを提供することを目的とする。
【０００６】
【課題を解決するための手段】
本発明は上記目的を達成するためになされたものであり、工場内に設置された設備の情報を管理するコンピュータシステムであって、ディスプレイと、ポインティングデバイスと、各設備の設置位置に該設備を表す図形を配置した前記工場のレイアウト図データを設備の種類毎にレイヤ化して記憶すると共に、各レイヤに属する設備に固有に割当てられた識別コードと該レイヤのレイヤ名とを関連付けて記憶したレイアウト図情報データベースと、設備の種類毎に設けられた属性テーブルに、各設備の属性データと各設備に固有に割当てられた管理コードとを関連付けて記憶した属性情報データベースと、各設備が属するレイヤのレイヤ名と各設備の識別コードとにより特定される該設備の前記レイアウト図データの該レイヤにおける位置と、各設備の属性データが記憶された属性テーブルのテーブル名と各設備の管理コードとにより特定される該設備の属性データとを関連付ける連結マップのデータを記憶した連結データベースとを備える。
【０００７】
そして、本発明の第１の態様は、前記レイアウト図データにより、前記工場における設備の設置状況を示した設備レイアウト図を前記ディスプレイに表示する設備位置表示手段と、該設備位置表示手段により前記設備レイアウト図が前記ディスプレイに表示された状態で、前記ポインティングデバイスによりいずれかの設備が選択されたときに、前記レイアウト図情報データベースから該設備の属するレイヤのレイヤ名と該設備の識別コードとを取得し、該レイヤ名と該識別コードとを前記連結マップに適用して該設備の属性データが記憶された属性テーブルのテーブル名と該設備の管理コードとを取得して、該テーブル名と該管理コードとに基づいて前記属性データベースから検索した該設備の属性データを前記ディスプレイに表示する設備属性検索表示手段とを備えたことを特徴とする。
【０００８】
かかる本発明によれば、前記工場内に設置する設備の位置情報と属性情報が、それぞれ前記レイアウト図情報データベースと前記属性情報データベースに独立して記憶されている。そして、各設備の位置情報と属性情報が前記連結情報データベースに記憶された前記連結マップにより関連付けて記憶されている。そのため、一旦設備の位置情報と属性情報の対応関係が前記連結マップに登録されれば、後は各設備の位置情報を変更する場合は前記レイアウト図情報データベースに記憶されたデータのみを変更すればよく、また、各設備の属性情報を変更する場合には前記属性情報データベースに記憶されたデータを変更すればよいため、各設備の設置位置と属性の情報管理を容易に行うことができる。
【０００９】
そして、前記設備レイアウト図が前記ディスプレイに表示された状態で、前記ポインティングデバイスによりいずれかの設備が選択されると、前記設備属性検索表示手段により該設備の属性データが前記属性情報データベースから検索されて前記ディスプレイに表示される。そのため、前記システムの使用者は、前記ディスプレイに表示された前記設備レイアウト図に示された設備を前記ポインティングデバイスにより選択することによって、該設備の属性情報を容易に確認することができる。
【００１０】
また、本発明の第２の態様は、前記属性テーブルに記憶された設備の属性データを管理コードと共に前記ディスプレイに表示する設備属性表示手段と、該設備属性表示手段により設備の属性データが前記ディスプレイに表示された状態で、前記ポインティングデバイスによりいずれかの設備が選択されたときに、前記属性データベースから該設備の属性データが記憶された属性テーブルのテーブル名と該設備の管理コードとを取得し、該テーブル名と該管理コードとを前記連結マップに適用して該設備が属するレイヤのレイヤ名と該設備の識別コードとを取得して、該レイヤ名が付されたレイヤの前記レイアウト図データにより、前記工場における該設備の設置位置を明示したレイアウト図を前記ディスプレイに表示する設備位置検索表示手段とを備えたことを特徴とする。
【００１１】
かかる本発明によれば、設備の属性データと管理データとが前記ディスプレイに表示された状態で、前記ポインティングデバイスによりいずれかの設備が選択されると、前記設備位置検索表示手段により、前記工場における該設備の設置位置を明示した設備レイアウト図が前記ディスプレイに表示される。そのため、前記システムの使用者は、前記ディスプレイに属性データが表示された設備を前記ポインティングデバイスにより選択することによって、該設備の設置位置を容易に確認することができる。
【００１２】
また、前記第１の態様において前記設備属性表示手段と前記設備位置検索表示手段とを設けることにより、或いは前記第２の態様において前記設備位置表示手段と前記設備属性検索表示手段とを設けることにより、前記ディスプレイに前記設備設置レイアウトが表示された状態で前記ポインティングデバイスにより設備が選択されたときに、該設備の属性データを表示する処理と、前記ディスプレイに設備の属性データが表示された状態で前記ポインティングデバイスにより設備が選択されたときに、該設備の設置を明示したレイアウト図を表示する処理の双方が実行可能となり、前記工場内に設置された設備の情報検索を効率良く行うことができる。
【００１３】
また、前記第１の態様において、前記ディスプレイに表示する設備の種類を選択する表示種類選択手段を備え、前記設備位置表示手段は、該表示種類選択手段により選択された種類に対応したレイヤの前記レイアウト図データにより、該選択された種類の設備の設置状況のみが示された前記設備レイアウト図を前記ディスプレイに表示することを特徴とする。
【００１４】
かかる本発明によれば、前記表示種類選択手段により検索対象とする設備の種類を選択することによって、前記ディスプレイに表示される前記設備レイアウト図に選択の対象となる設備のみを表すことができる。そして、これにより、前記設備レイアウト図に表示される設備の個数を減らして該設備レイアウト図を見易くすることができると共に、設備の選択をし易くすることができる。
【００１５】
また、前記第２の態様において、前記ディスプレイに表示する設備の種類を選択する表示種類選択手段を備え、前記属性情報表示手段は、該表示種類選択手段により選択された種類に対応した属性テーブルに属する設備の属性データのみを、前記ディスプレイに表示することを特徴とする。
【００１６】
かかる本発明によれば、前記表示種類選択手段により検索対象とする設備の種類を選択することによって、前記ディスプレイに選択された種類の設備の属性データのみを表示させることができる。これにより、前記ディスプレイに表示される属性促成データの個数を減らして、設備の選択をし易くすることができる。
【００１７】
また、前記第１の態様において、前記設備位置表示手段により前記ディスプレイに表示された前記設備レイアウト図において、前記ポインティングデバイスによる選択が可能な設備の種類を限定する選択種類限定手段を備えたことを特徴とする。
【００１８】
かかる本発明によれば、前記ディスプレイに表示された前記設備レイアウト図において、複数の種類の設備が接近して示されている場合に、前記選択種類限定手段により選択する設備の種類を限定することによって、前記ポインティングデバイスによる設備の選択を容易にすることができる。
【００１９】
また、前記第１の態様において、前記設備属性検索表示手段は、選択された設備が属するレイヤのレイヤ名と該設備の識別コードとを前記連結マップに適用したときに、該設備の属性データが記憶された属性テーブル名と該設備の管理コードとを取得することができなかったときには、該設備の属性データと管理コードの入力画面を表示し、該入力画面により該設備の管理コードと属性データが入力されたときに、該設備の種類に対応した属性テーブルに該属性データ管理コードとを関連付けて追加するとともに、該設備の属するレイヤのレイヤ名と該設備の識別コードとにより特定される該設備の前記レイアウト図データにおける位置と、該設備の属性データが記憶された属性テーブルのテーブル名と該設備の管理コードとにより特定される該設備の属性データとを関連付けるデータを前記連結マップに追加する属性データ追加手段を備えたことを特徴とする。
【００２０】
かかる本発明によれば、前記設備レイアウト図で選択された設備の属性データと管理コードが取得できなかったときに、前記設備属性検索表示手段は、前記属性データと管理コードの入力画面を表示する。そして、使用者が前記入力画面に属性データと管理データとを入力することによって、前記属性データ追加手段により、前記設備レイアウト図で選択された設備の属性データと管理データが前記属性データベースに追加されると共に、前記レイアウト図情報データベースに記憶された該設備の位置情報と前記属性情報データベースに記憶された該設備の属性情報を関連付けるデータが前記連結マップに追加される。そのため、使用者は、前記レイアウトに示された設備の属性データと管理コードを、該設備の設置位置と関連付けて容易に前記属性情報データベースに追加することができる。
【００２１】
また、前記第２の態様において、前記設備位置検索表示手段は、選択された設備の属性データが記憶された属性テーブルのテーブル名と該設備の管理コードとを前記連結マップに適用したときに、該設備が属するレイヤのレイヤ名と該設備の識別コードとを取得することができなかったときには、前記ディスプレイに前記工場における該設備の設置位置の登録画面を表示し、前記登録画面により該設備の設置位置が登録されたときに、該設備の種類に対応したレイヤの前記レイアウト図データにおける該設置位置の対応位置に該設備を表す図形を追加すると共に、該設備の属性データが登録された属性テーブルのテーブル名と該設備の管理コードとにより特定される該設備の属性データと、該設備が属するレイヤのレイヤ名と該設備の識別コードとにより特定される該設備の前記レイアウト図データにおける設置位置とを関連付けるデータを前記連結マップに追加する位置データ追加手段を備えたことを特徴とする。
【００２２】
かかる本発明によれば、前記ディスプレイに前記属性データが表示された状態で選択された設備が属するレイヤ名と識別コードが取得できなかったときに、前記設備位置検索表示手段は、前記工場における該設備の設置位置の登録画面を表示する。そして、使用者が該登録画面より該設備の設置位置を登録することによって、前記位置データ追加手段により、選択された設備を表す図形が該設備の種類に対応したレイヤの前記レイアウト図データに追加されると共に、前記属性情報データベースに記憶された該設備の属性情報と前記レイアウト図情報データベースに記憶された該設備の位置情報とを関連付けるデータが前記連結マップに追加される。そのため、使用者は、前記属性データが示された設備の位置情報を、該属性データと関連付けて容易に前記レイアウト図情報データベースに追加することができる。
【００２３】
また、前記設備には、電気設備、圧空設備、ガス設備、上水道設備、下水道設備のうちの少なくともいずれか１つに該当するインフラ設備が含まれることを特徴とする。
【００２４】
かかる本発明によれば、生産設備の作動に必要となる前記インフラ設備に関する情報を検索することができるため、前記システムの使用者は、前記工場内に新規に製造設備を導入する場合や製造設備の設置場所を変更する際に必要となる前記インフラ設備の配設状況の確認を容易に行うことができる。
【００２５】
また、前記レイアウト図データには、前記インフラ設備により供給又は回収される対象の流通経路の配置位置を、該対象の流れ方向を規定して記憶した流通経路のレイヤが含まれ、前記設備レイアウト図が前記ディスプレイに表示された状態で、前記ポインティングデバイスにより該設備レイアウト図上の任意の箇所が選択されたときに、前記インフラ経路のレイヤのデータに基づいて、前記流通経路が該選択箇所に最も近接する位置である経路近接点を検索し、該経路近接点の下流側にある前記流通経路の往き端位置を検索する往き端位置検索手段と、該往き端位置検索手段により検索された往き端位置に設置された設備を前記レイアウト図データにより検索し、検索した該設備を、前記経路近接点で故障が生じたときに影響を受ける設備として明示した前記設備レイアウト図を前記ディスプレイに表示するインフラ故障シミュレーション手段とを備えたことを特徴とする。
【００２６】
かかる本発明によれば、前記ポインティングデバイスにより、前記ディスプレイに表示された前記設備レイアウト図上の任意の箇所が選択されると、それに応じて、前記往き端位置検索手段により該箇所に最も近接する前記流通経路の位置の下流側の往き端が検索され、前記インフラ故障シミュレーション手段により該往き端の位置に設置された設備が検索されて、該箇所の付近で前記流通経路の故障が生じたときに該故障の影響を受ける設備として前記設備レイアウト図に明示される。そのため、使用者は、前記インフラ設備の故障が生じた場合の被害の発生状況を想定することができる。
【００２７】
また、前記インフラ設備は電気設備であって、前記レイアウト図データには、該電気設備の配電盤から電力が供給される配電経路の位置を、電力の供給方向を規定して記憶した配電経路のレイヤが含まれ、前記属性データには設備の消費電力が含まれ、該配電盤の前記属性データには該配電盤の規定電力容量が含まれ、前記ディスプレイに配電盤の設置位置が示された設備レイアウト図が表示された状態で、前記ポインティングデバイスにより該配電盤が選択されたときに、前記配電経路のレイヤのデータに基づいて該配電盤から電力が供給される配電経路の往き端位置を検索する往き端位置検索手段と、該往き端位置検索手段により検索された前記配電経路の往き端位置に設置された設備を前記レイアウト図データにより検索し、検索された各設備の消費電力を前記連結マップに基づいて検索した各設備の属性データから取得して、各設備の合計消費電力を算出し、前記配電盤の規定電力容量を、前記連結マップに基づいて検索した該配電盤の属性データから取得し、該規定電力容量から前記合計消費電力を減じた電力を、該配電盤から供給可能な残電力として前記ディスプレイに表示する配電盤残電力表示手段とを備えたことを特徴とする。
【００２８】
かかる本発明によれば、前記配電盤の設置位置が示された前記設備レイアウト図において、いずれかの配電盤を選択することによって、前記配電盤残電力表示手段により該配電盤から取り出せる残電力が算出されて前記ディスプレイに表示される。したがって、前記システムの使用者は、選択した配電盤から取出すことができる残電力の容量を容易に確認することができる。
【００２９】
また、前記配電盤残電力表示手段は、前記配電盤から供給可能な残電力を表示する際に、前記配電盤と接続された設備を前記設備レイアウト図上に明示することを特徴とする。
【００３０】
かかる本発明によれば、前記配電盤と接続された設備を明示した前記設備レイアウト図に表示されるため、使用者は、前記配電盤の残電力を確認する際に、前記配電盤と接続されている設備を確認することができる。
【００３１】
また、前記属性データには、設備の点検履歴のデータが含まれることを特徴とする。
【００３２】
かかる本発明によれば、前記属性表示手段により前記ディスプレイに表示された設備の点検履歴データから、点検が必要な設備を発見したときに、使用者は前記ポインティングデバイスにより該設備を選択することによって、該設備の位置が明示されたレイアウト図を表示させることができる。そのため、点検を要する設備の設置位置を容易に確認することができる。
【００３３】
また、前記点検履歴データに基づいて設備の点検時期の監視を行い、点検時期に至った設備を発見したときに、点検を促す表示と共に前記レイアウト図データにより該設備の位置を明示した設備レイアウト図を前記ディスプレイに表示する点検時期報知手段を備えたことを特徴とする。
【００３４】
かかる本発明によれば、点検を促す表示により、設備の点検をし忘れることを防止すると共に、点検時期が到来した設備の位置を前記レイアウト図により容易に把握することができる。
【００３５】
また、設備の点検作業者が所持する表示部付きの携帯端末機との間で無線通信を行なう無線通信手段と、前記点検履歴データに基づいて設備の点検時期の監視を行い、点検時期に至った設備を発見したときに、前記携帯端末機に対して、該設備の点検を促す表示と前記レイアウト図データに基づいて生成した該設備の位置を明示した地図とを前記携帯端末機の表示部に表示させるためのデータを送信する点検時期報知手段とを備えたことを特徴とする。
【００３６】
かかる本発明によれば、前記点検時期報知手段により送信されるデータによって、設備の点検作業者が所持する前記携帯端末機の表示部に、点検時期に至った設備の位置を示した地図が表示されるため、点検作業者に対して点検を要する設備の設置位置を容易に認識させることができる。
【００３７】
【発明の実施の形態】
本発明の実施の形態の一例について、図１〜図９を参照して説明する。図１は工場における設備情報管理システム（以下、単に設備情報管理システムという）の装置構成図、図２はレイアウト図データの構成説明図、図３はデータベースの構成図、図４〜図９はディスプレイへの設備情報の表示例を示した図である。
【００３８】
図１を参照して、本実施の形態の設備情報管理システムは、コンピュータ本体１、ディスプレイ２、キーボード３、及びマウス４（本発明のポインティングデバイスに相当する）からなり、コンピュータ本体１には、後述する設備位置表示手段１０、設備属性検索表示手段１１、設備属性表示手段１２、設備位置検索表示手段１３、表示種類選択手段１４、選択種類限定手段１５、位置データ追加手段１６、属性データ追加手段１７、往き端位置検索手段１８、インフラ故障シミュレーション手段１９、配電盤残電力表示手段２０、及び点検時期報知手段２１の機能を実現するためのアプリケーションプログラムが記憶されている。
【００３９】
さらに、コンピュータ本体１には、管理対象となる工場のレイアウト図データと該工場内に設置された設備の位置データとを記憶したレイアウト図情報データベース３０、該工場内に設置された設備の属性データを記憶した属性情報データベース３１、及びレイアウト図情報データベース３０に記憶された設備の位置データと属性情報データベース３２に記憶された設備の属性データとを関連付ける連結マップのデータが記憶された連結データベース３２が備えられている。
【００４０】
また、コンピュータ本体１には、公衆回線４０を介して設備の点検作業者が所持する携帯端末機４１との間で無線通信を行うための通信回路（図示しない）が備えられている。
【００４１】
図２を参照して、レイアウト図情報データベース３０には、工場のレイアウト図データが設備の種類毎にレイヤ化して記憶されており、レイヤ０は通路やパーティション等の基本的なエリア構成、レイヤ１は電気設備、レイヤ２は圧空設備、レイヤ３は製造設備に対応している。なお、実際には、上水道設備、下水道設備、保安設備等の多様な種類の設備に対応したレイヤがレイアウト図データに記憶されている。そして、各レイヤのレイアウト図データは、工場内に設置された各設備の位置に該設備を表す図形が表示されるように形成されている。
【００４２】
図２に示したレイヤ構成では、エリア構成のレイヤであるレイヤ０には０ａ，０ｂ，０ｃ，０ｄ，０ｅ、０ｆという６個の通路が属し、電気設備のレイヤであるレイヤ１には電気配線１ａ，１ｂと配電盤１ｃ，１ｄ，１ｅ，１ｆ，１ｇという７個の設備を表す図形が属し、圧空設備のレイヤであるレイヤ２には圧空供給路２ａ，２ｂと圧空供給口２ｃ，２ｄ、２ｅ，２ｆ，２ｇ，２ｈ，２２ｅという９個の設備を表す図形が属し、製造設備のレイヤであるレイヤ３には３ａ，３ｂ，３ｃ，３ｄ，３ｅ，３ｆ，３ｇ，３ｈという８個の設備を表す図形が属している。
【００４３】
また、図３を参照して、レイアウト情報データベース３０には、各レイヤに属する図形を特定するために、レイヤ名と、各レイヤ毎に該レイヤに属する図形に対して固有に設定された識別コードとを関連付けて記憶したレイアウト情報テーブル５０が記憶されている。レイアウト情報テーブル５０により、各設備を表す図形が属するレイヤ名と該図形の識別コードを取得することができる。
【００４４】
また、属性情報データベース３１には、図３に示したように、設備の種類毎に用意された、電気設備テーブル５１、圧空設備テーブル５２、及び製造設備テーブル５３という属性テーブルが記憶され、各属性テーブルに属する設備の属性データが記憶されている。
【００４５】
また、連結情報データベース３２には、図３に示したように、レイアウト情報テーブル５０により特定される設備を表す図形と、電気設備テーブル５１，圧空設備テーブル５２，道路テーブル５３のいずれかに登録された設備の属性データとを関連づける連結マップ５４が記憶されている。
【００４６】
図３に示したデータ構成によれば、例えば、レイヤ１に属する図形１ａは、レイアウト情報テーブル５０から（属するレイヤ名，識別コード）＝（レイヤ１，１）と特定され、この（レイヤ１，１）を連結マップ５４に適用すると、関連する（属する属性テーブル名，管理コード）＝（電気設備テーブル，１）が得られるため、電気設備テーブル５１の管理コード１の属性データを図形１ａに対応した設備の属性データとして検索することができる。
【００４７】
このように、レイアウト図情報テーブル５０と、電気設備テーブル３１，圧空設備テーブル５２，及び製造設備テーブル５３とが、連結マップ５４によって関連付けられているため、レイアウト図データにおける図形の位置と、電気設備テー部３１，圧空設備テーブル５２，及び製造設備テーブル５３に記憶された設備の属性データを、独立して管理することができる。
【００４８】
すなわち、ある図形の位置をレイアウト図上で変更しても、該図形が属するレイヤのレイヤ名と識別コードは変わらないので、連結マップ５４により関連付けられる属性データは変わらない。また、属性データを変更しても、該属性データが記憶された属性テーブルのテーブル名と管理コードは変わらないので、連結マップ３４により関連付けられる図形は変わらない。
【００４９】
次に、図４〜図９を参照して、設備情報管理システムによる設備情報の検索手順について説明する。
【００５０】
図４〜図５は、工場のレイアウト図に示された設備の属性データを検索する場合のディスプレイ２の表示画面を示したものであり、図４（ａ）には、設備位置表示手段１０（図１参照）によりレイアウト図情報データベース３０に記憶されたレイアウト図データによって工場の設備レイアウト図６０が表示されている。また、設備レイアウト図６０に表示する設備の種類と、設備レイアウト図６０に表示された設備のうちでマウス４による選択を許可する設備の種類を選択するための選択メニュー６１が表示されている。
【００５１】
使用者は、選択メニュー６１の「表示」部の種類の箇所をマウス４により選択して、レイアウト図６０に表示する設備の種類を指定することができ、また、選択メニュー６１の「選択」部の種類の箇所をマウス４により選択することによって設備レイアウト図６０に表示された設備のうちでマウス４により選択が可能な設備の種類を指定することができる。図４（ａ）は、電気設備、圧空設備、製造設備を表示し、電気設備、圧空設備、製造設備の選択を可能とした設定状態を示している。
【００５２】
表示種類選択手段１４（図１参照）は、選択メニュー６１の設定状態に応じて設備レイアウト図に表示する設備の種類を決定し、設備位置表示手段１０（図１参照）は、表示種類選択手段１４により決定された種類に応じたレイヤのレイアウト図データにより設備レイアウト図を表示する。
【００５３】
図４（ａ）では、選択メニュー６１の「表示」部により、「電気設備，圧空設備，製造設備」が指定されているため、設備位置表示手段１０は、図２を参照して、電気設備のレイヤであるレイヤ１，圧空設備のレイヤであるレイヤ２，製造設備のレイヤであるレイヤ３のレイアウト図データを重ねて表示し、これにより、ディスプレイ２には、電気設備，圧空設備，製造設備の種類の全ての設備が示された設備レイアウト図６０が表示される。
【００５４】
また、選択種類限定手段１５（図１参照）は、選択メニュー６１の設定状態に応じて設備レイアウト図に示された設備のうちでマウス４による選択を可能とする設備の種類を決定する。図４（ａ）では、選択メニュー６１の「選択」部により、「電気設備，圧空設備，製造設備」が指定されているため、選択種類限定手段１５は、電気設備，圧空設備，製造設備の選択を可能とする。
【００５５】
また、図４（ｂ）においては、選択メニュー６１の「表示」部により、電気設備と圧空設備と製造設備とが指定されているため、表示種類選択手段１４は、設備レイアウト図に示す設備の種類として電気設備と製造設備とを決定し、この決定に応じて、設備位置表示手段１０は、図２を参照して、電気設備のレイヤであるレイヤ１と製造設備のレイヤであるレイヤ３のレイアウト図データを重ねて表示し、これにより、ディスプレイ２には、電気設備の図形（１ａ〜１ｆ）と製造設備の図形（３ａ〜３ｈ）とが示された設備レイアウト図６５が表示される。
【００５６】
このように、設備レイアウト図６５に表示される設備の種類を減らすことにより、設備レイアウト図６５が見易くなると共に、検索する設備を絞り込んで選択し易くすることができる。また、図４（ｂ）においては、選択メニュー４１の「選択」部により、製造設備のみの選択が可能とされている。これにより、使用者が製造設備の図形を選択しようとして、該製造設備に近接した電気設備の図形を誤って選択してしまうことを防止することができる。
【００５７】
図４（ｂ）において、使用者がマウスポインタ６６を製造設備の図形３ｂに合せて該図形３ｂを選択すると、設備属性検索表示手段１１（図１参照）は、図３に示したレイアウト図情報テーブル５０から図形３ｂの（属するレイヤ名，識別コード）＝（レイヤ３，２）を取得し、取得した（レイヤ３，２）を連結マップ５４に適用して、図形２ｂにより表された設備の（属する属性テーブル名，管理コード）＝（製造設備テーブル，２）を取得して、製造設備テーブル５３の管理コード２の箇所の属性データを検索して属性表示画面６７に表示する。
【００５８】
この設備属性検索表示手段１１による処理により、使用者は、設備レイアウト図６５に示された図形をマウス４で選択することによって、選択した図形により表された設備の属性データを容易に確認することができる。
【００５９】
次に、設備属性検索表示手段１１が、使用者が選択した例えば図形３ｄの（属するレイヤ名，識別コード）＝（レイヤ３，４）を連結マップ５４に適用したときに、対応する（テーブル名，管理コード）を取得できなかったときは、図５（ａ）に示したように、属性データ追加手段１７（図１参照）は、該図形３ｄにより表された設備の属性データを追加するか否かの決定を促す画面７０を表示する。
【００６０】
そして、使用者が「はい」を選択したときには、属性データ追加手段１７は、図５（ｂ）に示したように、設備情報の新規登録画面７１を表示し、使用者がキーボード３により属性データを入力すると、属性データ追加手段１７は、入力された属性データを製造設備テーブル５３に追加すると共に、該属性データと図形３ｄとを関連付けるデータを連結マップ５４に追加する。そのため、使用者は、属性データが未登録であった設備と関連付けて、該設備の属性データを容易に追加登録することができる。
【００６１】
次に、図６は、工場内に設置された設備の属性情報がディスプレイ２に表示された状態で、各設備の設置場所を検索する場合のディスプレイ２の表示を示したものであり、図６（ａ）には、設備属性表示手段１２（図１参照）により、属性情報データベース３１に記憶された設備の属性データ８０，８１が表示されている。また、図４，５と同様に、選択メニュー６１が表示され、使用者はディスプレイ２に表示される設備の種類と選択可能とする設備の種類とを指定することができる。
【００６２】
図６（ａ）では、選択メニュー６１により、表示する設備の種類として「電気設備，製造設備」が指定され、選択可能とする設備の種類としても「電気設備，製造設備」が指定されている。
【００６３】
表示種類選択手段１４は、選択メニュー６１の設定状態に応じてディスプレイ２に表示する設備の種類を決定し、設備属性表示手段１２は、表示種類選択手段１４により決定された種類に応じた属性テーブル（この場合は電気設備テーブル５１と製造設備テーブル５３）により、該種類の設備の属性データを表示する。
【００６４】
このように、ディスプレイ２に表示される設備の種類を減らすことにより、属性データの表示が見易くなると共に、検索する設備を絞り込んで選択し易くすることができる。
【００６５】
図６（ａ）の表示画面で、使用者がマウスポインタ６６を建物情報の管理番号１の属性データ欄に合せて管理コード１の電気設備を選択すると、設備位置検索表示手段１３は、図３に示した電気設備テーブル５１から、選択された建物の（属する属性テーブル名，管理コード）＝（電気設備テーブル，１）を取得し、取得した（電気設備テーブル，１）を連結マップ５４に適用して、選択された設備の（属するレイヤ名，識別コード名）＝（レイヤ１，１）を取得して、レイアウト図情報テーブル５０のレイヤ１、識別コード１の図形１ａを検索する。
【００６６】
そして、設備位置検索表示手段１３は、図形１ａを明示した設備レイアウト図８５をディスプレイ２に表示する。
【００６７】
この設備位置検索表示手段１３による処理により、使用者は、属性データ表示８０，８１に示された設備を選択することによって、選択した設備の設置地を設備レイアウト図８５により容易に確認することができる。
【００６８】
また、設備位置検索表示手段１３が、使用者が選択した設備の（属性テーブル名，管理コード）を連結マップ５４に適用したときに、対応する（レイヤ名，識別コード）を取得できなかったときは、位置データ追加手段１６により、図６（ｂ）と同様に工場の設備レイアウト図が表示され、使用者が該設備レイアウト図に該設備を表す図形を追加する操作を行うことによって、該図形がレイアウト図データに追加されると共に、該図形の属するレイヤ名と該図形の識別コードとが関連付けられてレイアウト図情報テーブル５０に追加され、さらに該図形と該設備の属性データとを関連付けるデータが連結マップ５４に追加される。
【００６９】
次に、図７（ａ），図７（ｂ）を参照して、圧空設備に故障が生じた場合に影響を受ける設備を設備レイアウト図上に明示する処理について説明する。
【００７０】
先ず、レイアウト図データには、図７（ａ）に示したように圧空設備（本発明のインフラ設備に該当する）による圧空の流通経路（以下、圧空経路という）の位置を圧空の供給方向を指定して記憶した圧空経路のレイヤ９０が含まれる。そして、使用者がマウスポインタ６６により圧空経路の故障想定箇所９１を指定すると、往き端位置検索手段１８（図１参照）は、該故障想定箇所９１から最も近い場所にある圧空経路の部分である経路近接点９２を検索し、該経路近接点９２の下流側にある圧空経路の往き端（図７（ａ）では９３，９４，９５）を検索する。
【００７１】
そして、インフラ故障シミュレーション手段１９は、図７（ｂ）に示したように、圧空経路のレイヤと製造設備のレイヤを重ねることにより、圧空経路の往き端９３，９４，９５の位置に設置された製造設備である３ａ，３ｂ，３ｈを検索し、該製造設備３ａ，３ｂ，３ｃを圧空経路の故障により影響を受ける設備として設備レイアウト図に明示する。これにより、使用者は、圧空経路の故障想定箇所を任意に設定して、故障が生じた場合に影響を受ける設備を予め確認することができる。
【００７２】
次に、図８（ａ），図８（ｂ）を参照して、配電盤の残電力容量を表示する処理について説明する。
【００７３】
先ず、レイアウト図データには、図８（ａ）に示したように電力の配電経路の位置を電力の供給方向を指定して記憶した配電経路のレイヤ１００が含まれる。そして、使用者がマウスポインタ６６により、例えば配電盤１ｇを選択すると、往き端位置検索手段１８は、配電盤１ｇの下流側の配電経路の往き端（図８（ａ）では１０１，１０２，１０３，１０４）を検索する。
【００７４】
そして、配電盤残電力表示手段２０は、図８（ｂ）に示したように、配電経路のレイヤと製造設備のレイヤを重ね合わせることにより、配電経路の往き端１０１，１０２，１０４の位置に設置された製造設備である３ｆ，３ｇ，３ｈを検索する（往き端１０３の位置には製造設備が設置されていない）。
【００７５】
配電盤残電力表示手段２０は、製造設備３ｆ，３ｇ，３ｈを特定する（レイヤ名，識別コード）を連結マップ５４（図３参照）に適用して、これらの設備の属性データを検索し、該属性データに含まれる各製造設備の消費電力を把握する。
【００７６】
また、配電盤残電力表示手段２０は、選択された配電盤１ｇの（レイヤ名，識別コード）を連結マップ５４に適用して、配電盤１ｇの属性データを検索し、該検索データに含まれる配電盤１ｇの規定電力容量を把握する。
【００７７】
そして、配電盤残電力表示手段２０は、このようにして把握した配電盤１ｇの規定電力容量から、各製造設備３ｆ，３ｇ，３ｈの合計消費電量を減じた電量を、配電盤１ｇから供給可能な残電力としてディスプレイ２に表示する。かかる残電力の表示により、使用者は、新規に設備を導入する際や設備の移動を行う際に、各配電盤から供給可能な残電力を容易に確認して、どの配電盤から該設備に電力を供給することができるかを容易に確認することができる。
【００７８】
なお、ディスプレイ２に配電盤の残電力を表示すると共に、図８（ｂ）に示したように、配電盤１ｇと接続されている製造設備３ｆ，３ｇ，３ｈを明示した設備レイアウト図をディスプレイ２に表示するようにしてもよい。これにより、使用者は、配電盤と実際に接続されている設備を容易に確認することができる。
【００７９】
次に、図９（ａ），図９（ｂ）を参照して、点検時期報知手段２１（図１参照）による設備の点検時期の報知処理について説明する。
【００８０】
図９（ａ）を参照して、設備の属性データには点検履歴のデータが含まれ、使用者が属性表示画面６７の「点検管理」の選択部１１０を選択すると、設備属性表示手段１２（図１参照）により点検履歴の表示画面１１１が表示される。そして、点検時期報知手段２１は、属性データに含まれる点検履歴のデータを監視し、定期点検の時期に至った設備を発見したときに、図９（ｂ）に示したように、該設備（図９（ｂ）では３ｂを例示）を明示した設備レイアウト図１２０と、該設備の点検を促す表示画面１２１をディスプレイ２に表示する。
【００８１】
さらに、点検時期報知手段２１は、図１を参照して、公衆回線４０を介して点検作業者が所持する携帯端末機４１に対して、点検時期が近づいた設備の位置を明示した地図を表示すると共に点検を促す表示させるデータを送信する。これにより、点検作業者が設備の定期点検の実施を忘れることを防止している。
【００８２】
なお、本実施の形態では、表示種類選択手段１４によりディスプレイ２に表示される設備の種類を指定できるようにしたが、表示種類選択手段１４を備えない場合であっても本発明の効果を得ることができる。
【００８３】
また、本実施の形態では、選択種類限定手段１５によりディスプレイ２に表示された設備のうちで選択可能とする設備の種類を指定できるようにしたが、選択種類限定種類１５を備えない場合であっても本発明の効果を得ることができる。
【００８４】
また、本実施の形態では、設備位置表示手段１０と設備属性検索表示手段１１とを備えて、ディスプレイ２に表示されたレイアウト上に示された図形を選択することにより該図形により表された設備の属性データを表示する処理と、設備属性表示手段１２と設備位置検索表示手段１３とを備えて、ディスプレイ２に属性データが表示された設備を選択することにより該設備の位置を該設備を表す図形により示したレイアウトを表示する処理との双方を行ったが、いずれか一方の処理のみを行う場合であっても本発明の効果を得ることができる。
【００８５】
また、本実施の形態では、インフラ故障シミュレーション手段１９により、インフラ設備の故障が生じたときに影響を受ける設備を設備レイアウト図に明示する処理を行ったが、該処理を行わない場合であっても本発明の効果を得ることができる。
【００８６】
また、本実施の形態では、配電盤残電力表示手段２０により、選択された配電盤の残電力を表示する処理を行ったが、該処理を行わない場合であっても本発明の効果を得ることができる。
【００８７】
また、本実施の形態では、点検時期報知手段２１により、点検時期が近づいた設備の位置を明示した設備レイアウト図をディスプレイ２に表示する処理と、点検作業者が所持する携帯端末機４１に対して、該携帯端末機４１の表示部に点検時期が近づいた設備の位置を示した地図を表示させるデータを送信する処理とを行ったが、これの処理のうちのいずれか一方のみを行う場合であっても本発明の効果を得ることができ、さらに、これらの処理のいずれも行わない場合にも本発明の効果を得ることができる。
【００８８】
また、本実施の形態では、本発明のインフラ設備として圧空設備を示したが、その他に電気設備、ガス設備、上水道設備、下水道設備等も本発明のインフラ設備に該当する。
【図面の簡単な説明】
【図１】工場における設備情報管理システムの装置構成図。
【図２】レイアウトデータの構成説明図。
【図３】データベースの構成図。
【図４】ディスプレイへの設備情報の表示例。
【図５】ディスプレイへの設備情報の表示例。
【図６】ディスプレイへの設備情報の表示例。
【図７】ディスプレイへの設備情報の表示例。
【図８】ディスプレイへの設備情報の表示例。
【図９】ディスプレイへの設備情報の表示例。
【符号の説明】
１…コンピュータ本体、２…ディスプレイ、３…キーボード、４…マウス、５０…レイアウト図情報テーブル、４１…携帯端末機、５１…電気設備テーブル、５２…圧空設備テーブル、５３…製造設備テーブル、５４…連結マップ、６０…レイアウト図、６１…選択メニュー、６７…属性表示画面、７１…設備情報の新規登録画面、８０，８１…設備の属性データ、８５…選択された設備の図形を明示した設備レイアウト図、９０…圧空経路のレイヤ、１００…配電経路のレイヤ、１１０…点検履歴の表示画面
【図１】
2004013197.tif 000003
【図２】
2004013197.tif 000004
【図３】
2004013197.tif 000005
【図４】
2004013197.tif 000006
【図５】
2004013197.tif 000007
【図６】
2004013197.tif 000008
【図７】
2004013197.tif 000009
【図８】
2004013197.tif 000010
【図９】
2004013197.tif 000011